(57)【要約】      （修正有）【課題】充電の際、電源に接続しているコネクタとそれに対応しているコネクタ同士を接続するだけでよく、何度もバッテリ或いは充電構成の取外しと装設とを繰り返す必要がない玩具銃の充電構造を提供する。【解決手段】第一ハウジング１１ａ及び第二ハウジング１１ｂを相対的に嵌合して構成し、第一ハウジング及び第二ハウジングからそれぞれグリップ１２ａ，１２ｂが延在し、モータ５がグリップ内に設けられ、さらに収納部１３、前ストッパー１４、モータと噛合する伝動ギア機構１５及び所定マガジンを挿入して結合するマガジン槽１６が設けられている本体１と、に伝動ギア機構と連動し合う発射機構を設けているスライド２と、モータと電気的に接続するバッテリ３と、充電機構と、から構成される。バッテリは、収納部と前ストッパーとを第一ハウジング及び第二ハウジングに固定する。【選択図】図２
0003191450.tif 000002
【実用新案登録請求の範囲】
【請求項１】
一の第一ハウジング及び一の第二ハウジングを相対的に嵌合して構成し、該第一ハウジング及び該第二ハウジングからそれぞれ一のグリップが延在し、一のモータが該二グリップ内に設けられ、さらに一の収納部、一の前ストッパー、一の伝動ギア機構及び一のマガジン槽が設けられている一の本体と、
内部に発射機構を設けている一のスライドと、
一のバッテリと、
一の充電機構と、から構成される玩具銃の充電構造であって、
該バッテリを該収納部と該前ストッパーとに嵌合することで、該充電機構と接続し、該収納部と該前ストッパーと該充電機構とを係合することで、該モータが連動して玩具銃を駆動可能にすることを特徴とする玩具銃の充電構造。
【請求項２】
該収納部の両側に、該第一ハウジング及び該第二ハウジングそれぞれに設けられたポジショニング凸部に対応する嵌合孔を設けることを特徴とする請求項１に記載の玩具銃の充電構造。
【請求項３】
該充電機構は、一の継電器、複数の電源コード、第一コネクタ、第二コネクタ、第三コネクタ及び第四コネクタをさらに含み、該第一ハウジング及び該第二ハウジング内部に該第一コネクタと該第二コネクタとを収容するスロット部を設けることを特徴とする請求項１に記載の玩具銃の充電構造。
【請求項４】
該第三コネクタは、その一部分が本体表面に露出し、該第四コネクタは、本体外部に設置し、該第三コネクタと着脱可能に接続することを特徴とする請求項１に記載の玩具銃の充電構造。
【考案の詳細な説明】
【技術分野】
【０００１】
本考案は、一種の充電構造、特に容易に充電し、壊れ難い玩具銃の充電構造に関するものである。
【背景技術】
【０００２】
現在、従来のプラスチック材質の弾丸を発射できる玩具銃において、一般的に空気圧式、機械式及び電気駆動式等の三種類の構造があり、該空気圧式は付加した一のボンベより玩具銃へ高圧空気を供給し、該高圧空気によって発生する圧力を利用してプラスチック弾丸を外部に発射しており、該機械式は、圧縮を受けたバネが伸長する際に発生する弾力によって一のピストンを推進し、それで発生した高圧空気でプラスチック弾丸を推進して外部に発射しており、両者は動力源が異なるため、構造上においても顕著な差異がある。該電気駆動式の玩具銃は、取外し可能な一のバッテリを利用して繰返し充電を行い、電動モータが伝動歯車機構を駆動するのに必要な電力を供給し、玩具銃の銃器本体を駆動してプラスチック弾丸を外部に発射する構造となっている。
【０００３】
電気駆動式玩具銃の電源供給構造において、殆どのバッテリの設計は、カセット式の付加構造となっており、銃本体グリップに一のバッテリ収納部を設け、バッテリの電極を銃本体グリップにある電源コードセット及びモータに接続し、バッテリの電源が使果たそうとしている、或いは使果たした場合、係合或いは係止構成によって銃本体にあるバッテリ収容部に固定されているバッテリを取外す。また、先行技術で示されているような、バッテリが取外し可能な外部充電の構成であってもよく、バッテリの電圧が低下し充電が必要な場合、まずはバッテリを銃本体の固設位置より取外し、バッテリの充電を完了した後銃本体の固設位置に装設する必要があり、該バッテリは何度も取外しと装設とを繰り返すため、玩具銃の不具合の発生率を増加させるだけでなく、ユーザに不便をもたらしている。
【０００４】
また、このような何度も取外しと装設とを繰り返す電源供給方法及び係合して配置する方法では、一定期間使用すると、度々バッテリ収納部に損傷が発生したり、バッテリ収納部の係合或いは係止構成に破損が発生したりしてバッテリを適切に定置できず、さらには使用の際に何らかの衝撃を受けてバッテリが抜落ちる恐れがある。
【０００５】
従来の玩具銃の充電構造にある上述のような問題を鑑み、考案者はこれらの問題に対して研究、改良を加え、構造の簡略化だけでなく、玩具銃の充電構造のモジュール化するという概念設計の変化を行うことで、より長期的に有効寿命を図るものである。
【先行技術文献】
【特許文献】
【０００６】
【特許文献１】台湾専利申請番号第０９３１１３５７７号
【考案の概要】
【考案が解決しようとする課題】
【０００７】
本考案は、充電の際、電源に接続しているコネクタとそれに対応しているコネクタ同士を接続するだけでよく、何度もバッテリ或いは充電構成の取外しと装設とを繰り返す必要がない玩具銃の充電構造を提供し、その主な目的は、充電構成の消耗を防ぎ、有効寿命を延命することにある。
【０００８】
また、本考案に係る玩具銃の充電構造にある充電構成は、複数のコネクタに接続して銃本体に内設する一のバッテリであることから、充電構成或いはバッテリが抜落ちる恐れはなく、これをその他の一目的としている。
【課題を解決するための手段】
【０００９】
上述の目的を達成するため、本考案に係る玩具銃の充電構造には、一の第一ハウジング及び一の第二ハウジングを相対的に嵌合して構成し、該第一ハウジング及び該第二ハウジングからそれぞれ一のグリップが延在し、一のモータが該二グリップ内に設けられ一の伝動ギア機構を駆動して一のスライドを動かし、さらに一の収納部及び一の前ストッパーが設けられている一の玩具銃の本体であって、一のバッテリは該収納部と該前ストッパーとに嵌合され、該収納部の両側には該第一ハウジング及び該第二ハウジングそれぞれに設けられたポジショニング凸部に対応する嵌合孔が設けられ、また、一の継電器、複数の電源コード、第一コネクタ、第二コネクタ、第三コネクタ及び第四コネクタを含む充電機構を有し、第一コネクタと第二コネクタとは該第一ハウジング及び該第二ハウジング内部に対応して設置しているスロット部内に固設しており、該充電機構と該モータを接続することで、玩具銃を作動可能にする構造となっている。
【００１０】
本考案の詳細な構造、原理及び発生する効果については、下記にある図面の説明で完全に理解することができる。
【図面の簡単な説明】
【００１１】
【図１】本考案に係る全体の外観を表す立体図である。
【図２】本考案に係る全体の構成を表す分解図である。
【図３】本考案に係る充電構造を使用した状態を表す第一実施例の図である。
【図４】本考案に係る充電構造を使用した状態を表す第二実施例の図である。
【考案を実施するための形態】
【００１２】
図１、図２、図３及び図４は、それぞれ本考案に係る全体の外観を表す立体図、全体の構成を表す分解図、充電構造を使用した状態を表す第一実施例及び第二実施例の図である。本考案は、第一ハウジング１１ａ及び第二ハウジング１１ｂを相対的に嵌合して構成し、該第一ハウジング１１ａ及び該第二ハウジング１１ｂには一のグリップ１２ａ及び一のグリップ１２ｂがそれぞれ相対的に延在し、該本体１には一の収納部１３、一の前ストッパー１４、一の伝動ギア機構１５及び一のマガジン槽１６が設けられ、該収納部１３の中央には一の凹部１３０が設けられ、該凹部１３０の両側にはそれぞれ複数の嵌合孔１３１が設けられ、該収納部１３の一端には一の係止部１３２が設けられ、該本体１にはポジショニング凹部１１２ａ及びポジショニング凹部１１２ｂと、ポジショニング凸部１１１ａ及びポジショニング凸部１１１ｂと、スロット部１１３ａ及びスロット部１１３ｂとが以上の順番でさらに設けられている一の本体１と、内部に発射機構を設けている一のスライド２と、繰返し充電が可能な一のバッテリ３と、一の継電器４１、複数の電源コード４２、第一コネクタ４３、第二コネクタ４４、第三コネクタ４５及び第四コネクタ４６を含む一の充電機構４と、該グリップ１２ａ及び該グリップ１２ｂ内に設けられる一のモータ５とを包括する一の玩具銃の充電構造である。
【００１３】
これらを組立てる際、該前ストッパー１４を該収納部１３にある該係止部１３２に対応するように設けることで、該収納部１３の該複数の嵌合孔１３１を該第一ハウジング１１ａ及び該第二ハウジング１１ｂにある複数のポジショニング凸部１１１ａ及びポジショニング凸部１１１ｂに対応し、該バッテリ３を該収納部１３にある該凹部１３０に内設することで、該前ストッパー１４を該第一ハウジング１１ａ及び該第二ハウジング１１ｂにある複数のポジショニング凹部１１２ａ及びポジショニング凹部１１２ｂに対応し、さらに該充電機構４にある第一コネクタ４３及び第二コネクタ４４を接続した後、該第一ハウジング１１ａ及び該第二ハウジング１１ｂにあるスロット部１１３ａ及びスロット部１１３ｂに対応するように固設し、該継電器４１を該グリップ１２ａに定設し、該第三コネクタ４５を該グリップ１２ａ及び該グリップ１２ｂ付近にある該マガジン槽１６の開口の周辺に係合し、該電源コード４２によって、該バッテリ３、該継電器４１、該第一コネクタ４３、該第二コネクタ４４、該第三コネクタ４５及び該第四コネクタ４６を直列に接続することで、一の玩具銃の充電構造を構成している。
【００１４】
使用する場合は、図２、図３及び図４にある本考案に係る全体の構成を表す分解図、充電構造を使用した状態を表す第一実施例及び第二実施例の図で示されているように、ユーザが玩具銃の電源が不足していることを発見した際、外部に付加し電流を有する該第四コネクタ４６をこれに対応する該第三コネクタ４５に接続するだけでよく、この際、外部の電源は、該第四コネクタ４６と該第三コネクタ４５との電気的接続によって、該バッテリ３に充電を行い、従来の玩具銃のように何度もバッテリを取外し外部で充電する必要はなく、且つこの取外しの動作によって引起すバッテリ収納部の損傷、或いは外部の衝撃を受けてバッテリが抜落ちる恐れがない。
【００１５】
以上のことから、本考案に係る一の玩具銃の充電構造は、ユーザの簡便さを図るため、何度もバッテリを取外し外部で充電する必要はなく、さらに外部の衝撃を受けてバッテリが抜落ちる恐れがなく、これらの効果は、確実に従来の問題を解決することができ、且つ本考案は未だ公に用いられてなく、実用新案の要件に満たすものである。
【符号の説明】
【００１６】
１                          本体
１１ａ                      第一ハウジング
１１ｂ                      第二ハウジング
１１１ａ、１１１ｂ          ポジショニング凸部
１１２ａ、１１２ｂ          ポジショニング凹部
１１３ａ、１１３ｂ          スロット部
１２ａ、１２ｂ              グリップ
１３                        収納部
１３０                      凹部
１３１                      嵌合孔
１３２                      係止部
１４                        前ストッパー
１５                        伝動ギア機構
１６                        マガジン槽
２                          スライド
３                          バッテリ
４                          充電機構
４１                        継電器
４２                        電源コード
４３                        第一コネクタ
４４                        第二コネクタ
４５                        第三コネクタ
４６                        第四コネクタ
５                          モータ
５１                        伝動ギア
【図１】
0003191450.tif 000003
【図２】
0003191450.tif 000004
【図３】
0003191450.tif 000005
【図４】
0003191450.tif 000006
【手続補正書】
【提出日】平成26年1月27日(2014.1.27)
【手続補正１】
【補正対象書類名】明細書
【補正対象項目名】０００９
【補正方法】変更
【補正の内容】
【０００９】
上述の目的を達成するため、本考案に係る玩具銃の充電構造には、一の第一ハウジング及び一の第二ハウジングを相対的に嵌合して構成し、該第一ハウジング及び該第二ハウジングからそれぞれ一のグリップが延在し、一のモータが該二グリップ内に設けられ一の伝動ギア機構を駆動して一のスライドを動かし、さらに一の収納部及び一の前ストッパーが設けられている一の玩具銃の本体であって、一のバッテリは該収納部と該前ストッパーとに嵌合され、該収納部の両側には該第一ハウジング及び該第二ハウジングそれぞれに設けられたポジショニング凸部に対応する嵌合孔が設けられ、また、一の継電器、複数の電源コード、互いに接続し合う一の第一コネクタ及び一の第二コネクタ、及び外部にある第四コネクタと互いに接続し合う一の第三コネクタを含む充電機構を有し、該第一コネクタは電源コードによって該第三コネクタに接続し、該第二コネクタは電源コードによって該バッテリに接続し、該継電器は電源コードによって該第一コネクタと該モータとの間に設置しており、該充電機構と該モータを接続することで、玩具銃を作動可能にする構造となっている。
【手続補正２】
【補正対象書類名】明細書
【補正対象項目名】００１２
【補正方法】変更
【補正の内容】
【００１２】
図１、図２、図３及び図４は、それぞれ本考案に係る全体の外観を表す立体図、全体の構成を表す分解図、充電構造を使用した状態を表す第一実施例及び第二実施例の図である。本考案は、第一ハウジング１１ａ及び第二ハウジング１１ｂを相対的に嵌合して構成し、該第一ハウジング１１ａ及び該第二ハウジング１１ｂには一のグリップ１２ａ及び一のグリップ１２ｂがそれぞれ相対的に延在し、該本体１には一の収納部１３、一の前ストッパー１４、一の伝動ギア機構１５及び一の所定マガジンを挿入して結合する一のマガジン槽１６が設けられ、該収納部１３の中央には一の凹部１３０が設けられ、該凹部１３０の両側にはそれぞれ複数の嵌合孔１３１が設けられ、該収納部１３の一端には一の係止部１３２が設けられ、該本体１にはポジショニング凹部１１２ａ及びポジショニング凹部１１２ｂと、ポジショニング凸部１１１ａ及びポジショニング凸部１１１ｂと、スロット部１１３ａ及びスロット部１１３ｂとが以上の順番でさらに設けられている一の本体１と、内部に該伝動ギア機構１５と連動し合う発射機構を設けている一のスライド２と、繰返し充電が可能な一のバッテリ３と、一の継電器４１、複数の電源コード４２、第一コネクタ４３、第二コネクタ４４、第三コネクタ４５及び第四コネクタ４６を含む一の充電機構４と、該グリップ１２ａ及び該グリップ１２ｂ内に設けられ、且つ該伝動ギア機構１５と噛合する一のモータ５とを包括する一の玩具銃の充電構造である。
【手続補正３】
【補正対象書類名】明細書
【補正対象項目名】００１３
【補正方法】変更
【補正の内容】
【００１３】
これらを組立てる際、該前ストッパー１４を該収納部１３にある該係止部１３２に対応するように設けることで、該収納部１３の該複数の嵌合孔１３１を該第一ハウジング１１ａ及び該第二ハウジング１１ｂにある複数のポジショニング凸部１１１ａ及びポジショニング凸部１１１ｂに対応し、該バッテリ３を該収納部１３にある該凹部１３０に内設することで、該前ストッパー１４を該第一ハウジング１１ａ及び該第二ハウジング１１ｂにある複数のポジショニング凹部１１２ａ及びポジショニング凹部１１２ｂに対応し、さらに該充電機構４にある第一コネクタ４３及び第二コネクタ４４を接続した後、該第一ハウジング１１ａ及び該第二ハウジング１１ｂにあるスロット部１１３ａ及びスロット部１１３ｂに対応するように固設し、該継電器４１を該グリップ１２ａに定設し、該第三コネクタ４５を該グリップ１２ａ及び該グリップ１２ｂ付近にある該マガジン槽１６の開口の周辺に係合し、一部分が本体１表面から露出し、該電源コード４２によって、該バッテリ３、該継電器４１、該第一コネクタ４３、該第二コネクタ４４、該第三コネクタ４５及び該第四コネクタ４６を直列に接続することで、該第一コネクタ４３は電源コード４２によって該第三コネクタ４５に接続し、該第二コネクタ４４は電源コード４２によって該バッテリ３に接続し、該継電器４１は電源コード４２によって該第一コネクタ４３と該モータ５との間に設置し、一の玩具銃の充電構造を構成している。
【手続補正４】
【補正対象書類名】実用新案登録請求の範囲
【補正対象項目名】全文
【補正方法】変更
【補正の内容】
【実用新案登録請求の範囲】
【請求項１】
一の第一ハウジング及び一の第二ハウジングを相対的に嵌合して構成し、該第一ハウジング及び該第二ハウジングからそれぞれ一のグリップが延在し、一のモータが該二グリップ内に設けられ、さらに一の収納部、一の前ストッパー、該モータと噛合する一の伝動ギア機構及び一の所定マガジンを挿入して結合する一のマガジン槽が設けられている一の本体と、
内部に該伝動ギア機構と連動し合う発射機構を設けている一のスライドと、
該モータと電気的に接続する一のバッテリと、
一の充電機構と、から構成される玩具銃の充電構造であって、
該バッテリは、該収納部と該前ストッパーとを該第一ハウジング及び該第二ハウジングに固定することで、該充電機構は該モータ及び該バッテリと接続し合うことを特徴とする玩具銃の充電構造。
【請求項２】
該収納部の両側に、該第一ハウジング及び該第二ハウジングそれぞれに設けられたポジショニング凸部に対応する嵌合孔を設けることを特徴とする請求項１に記載の玩具銃の充電構造。
【請求項３】
該充電機構は、互いに接続し合う一の第一コネクタ及び一の第二コネクタと、一の第三コネクタとを少なくとも含み、該第三コネクタは一部分が本体表面から露出し、該第一コネクタは電源コードによって該第三コネクタに接続し、該第二コネクタは電源コードによって該バッテリに接続することを特徴とする請求項１に記載の玩具銃の充電構造。
【請求項４】
該充電機構は、一の第四コネクタと一の継電器とをさらに設け、該第四コネクタは本体外部に設置して該第三コネクタと相対的に着脱可能に接続し、該継電器は電源コードによって該第一コネクタと該モータとの間に設置することを特徴とする請求項１に記載の玩具銃の充電構造。
【手続補正書】
【提出日】平成26年4月16日(2014.4.16)
【手続補正１】
【補正対象書類名】実用新案登録請求の範囲
【補正対象項目名】全文
【補正方法】変更
【補正の内容】
【実用新案登録請求の範囲】
【請求項１】
一の第一ハウジング及び一の第二ハウジングを相対的に嵌合して構成し、該第一ハウジング及び該第二ハウジングからそれぞれ一のグリップが延在し、一のモータが二の該グリップ内に設けられ、さらに一の収納部、一の前ストッパー、該モータと噛合する一の伝動ギア機構及び一の所定マガジンを挿入して結合する一のマガジン槽が設けられている一の本体と、
内部に該伝動ギア機構と連動し合う発射機構を設けている一のスライドと、
該モータと電気的に接続する一のバッテリと、
一の充電機構と、から構成される玩具銃の充電構造であって、
該バッテリは、該収納部と該前ストッパーとを該第一ハウジング及び該第二ハウジングに固定することで、該充電機構は該モータ及び該バッテリと接続し合うことを特徴とする玩具銃の充電構造。
【請求項２】
該収納部の両側に、該第一ハウジング及び該第二ハウジングそれぞれに設けられたポジショニング凸部に対応する嵌合孔を設けることを特徴とする請求項１に記載の玩具銃の充電構造。
【請求項３】
該充電機構は、互いに接続し合う一の第一コネクタ及び一の第二コネクタと、一の第三コネクタとを少なくとも含み、該第三コネクタは一部分が本体表面から露出し、該第一コネクタは電源コードによって該第三コネクタに接続し、該第二コネクタは電源コードによって該バッテリに接続することを特徴とする請求項１に記載の玩具銃の充電構造。
【請求項４】
該充電機構は、一の第四コネクタと一の継電器とをさらに設け、該第四コネクタは本体外部に設置して該第三コネクタと相対的に着脱可能に接続し、該継電器は電源コードによって該第一コネクタと該モータとの間に設置することを特徴とする請求項３に記載の玩具銃の充電構造。